(57)【特許請求の範囲】
【請求項１】
空気を送出する複数のノズルと、前記ノズルから高圧空気流を送出するファンモータと、前記ファンモータから吹き出される前記高圧空気流を前記ノズルに導く空間である空気室と、前記ノズルから吹き出される高圧空気流によって手を乾燥させる乾燥室と、前記乾燥室に溜まった水を排水する排水パイプと、電装部を含む充電部と、外郭を形成する本体ケーシングとを備えた手乾燥装置であって、前記乾燥室と前記空気室の間に、水受けを設け、
前記水受けを耐水性のシートにし、
前記空気室と前記乾燥室との間に前記耐水性のシートを挟んだ構成とすることを特徴とする手乾燥装置。
【請求項２】
前記水受けを前記排水パイプと結合させることを特徴とする請求項１記載の手乾燥装置。
【請求項３】
前記水受けを、排水しやすいように前記排水パイプ側に傾けた構成とすることを特徴とする請求項１または２記載の手乾燥装置。
【請求項４】
前記耐水性のシートを、変性ＰＰＥシートとしたことを特徴とする請求項１〜３のいずれかに記載の手乾燥装置。
【請求項５】
前記耐水性のシートの少なくとも１つの側面に、切れ目を入れて折り曲げた側壁を設けることを特徴とする請求項１〜４のいずれかに記載の手乾燥装置。
【請求項６】
前記側壁の切れ目に、パッキンを設けたことを特徴とする請求項５記載の手乾燥装置。
【請求項７】
空気を送出する複数のノズルと、前記ノズルから高圧空気流を送出するファンモータと、前記ファンモータから吹き出される前記高圧空気流を前記ノズルに導く空間である空気室と、前記ノズルから吹き出される高圧空気流によって手を乾燥させる乾燥室と、前記乾燥室に溜まった水を排水する排水パイプと、電装部を含む充電部と、外郭を形成する本体ケーシングとを備えた手乾燥装置であって、前記乾燥室と前記空気室の間に、水受けを設け、
前記水受けを耐水性のシートにし、
前記ノズルに、前記耐水性のシートに水を導くガイドを設けたことを特徴とする手乾燥装置。
【請求項８】
前記ガイドを、変性ＰＰＥシートとしたことを特徴とする請求項７記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【０００３】
上記の手乾燥装置は、すばやく乾かす技術として、手前と奥側２方向から高速空気流を噴出させる方法が用いられている。
【先行技術文献】
【特許文献】
【０００４】
【特許文献１】特開２００２−０３４８４７号公報
【発明の概要】
【発明が解決しようとする課題】
【０００５】
このような従来の手乾燥装置では、ノズル周辺は隙間ができやすく水が内部に浸入し、充電部等にかかって不安全となるという課題がある。
【０００６】
本発明は、このような従来の課題を解決するものであり、ノズル周辺の隙間から水が内部へ浸入しても、充電部等に水がかからなく安全を確保できること手乾燥装置を提供することを目的とする。
【課題を解決するための手段】
【０００７】
本発明に係る手乾燥装置は、上記目的を達成するために、空気を送出する複数のノズルと、前記ノズルから高圧空気流を送出するファンモータと、前記ファンモータから吹き出される前記高圧空気流を前記ノズルに導く空間である空気室と、前記ノズルから吹き出される高圧空気流によって手を乾燥させる乾燥室と、前記乾燥室に溜まった水を排水する排水パイプと、電装部を含む充電部と、外郭を形成する本体ケーシングとを備えた手乾燥装置であって、前記乾燥室と前記空気室の間に、水受けを設けたものである。
【０００８】
また、他の手段は、前記水受けを前記排水パイプと結合させたものである。
【０００９】
また、他の手段は、前記水受けを、排水しやすいように前記排水パイプ側に傾けたもの
である。
【００１０】
また、他の手段は、前記水受けを耐水性のシートにしたものである。
【００１１】
また、他の手段は、前記耐水性のシートを、変性ＰＰＥシートとしたものである。
【００１２】
また、他の手段は、前記空気室と前記乾燥室との間に、前記耐水性のシートを挟んだものである。
【００１３】
また、他の手段は、前記耐水性のシートの少なくとも１つの側面に、切れ目を入れて折り曲げた側壁を設けたものである。
【００１４】
また、他の手段は、前記側壁の切れ目にパッキンを貼り付けたものである。
【００１５】
また、他の手段は、前記ノズルに前記耐水性のシートに水を導くガイドを設けたものである。
【００１６】
また、他の手段は、前記ガイドを変性ＰＰＥシートとしたものである。
【発明の効果】
【００１７】
本発明に係る手乾燥装置によれば、空気を送出する複数のノズルと、前記ノズルから高圧空気流を送出するファンモータと、前記ファンモータから吹き出される前記高圧空気流を前記ノズルに導く空間である空気室と、前記ノズルから吹き出される高圧空気流によって手を乾燥させる乾燥室と、前記乾燥室に溜まった水を排水する排水パイプと、電装部を含む充電部と、外郭を形成する本体ケーシングを備えた手乾燥装置であって、前記乾燥室と前記空気室の間に、水受けを設けることにより、ノズル周辺の隙間から水が内部へ浸入しても、充電部等に水がかからなく安全を確保できる手乾燥装置を提供することができる。
【００１８】
また、前記水受けを、前記排水パイプと結合させることにより、大量の水がノズル周辺の隙間から浸入しても、充電部等に水がかからなく安全を確保できる手乾燥装置を提供することができる。
【００１９】
また、前記水受けを排水しやすいように前記排水パイプ側に傾けた構成とすることにより、水受けに溜まった水を溜まることなく排水することができる手乾燥装置を提供することができる。
【００２０】
また、前記水受けを耐水性のシートにしたことにより、水受けに溜まった水を更に溜まることなく排水することができる手乾燥装置を提供することができる。
【００２１】
また、前記耐水性のシートを変性ＰＰＥシートとしたことにより、成形が容易で、且つ、耐水性をもった水受けを形成することができる手乾燥装置を提供することができる。
【００２２】
また、前記空気室と前記乾燥室との間に、前記耐水性のシートを挟んだ構成とすることにより、侵入する水を広範囲で防ぐことができる手乾燥装置を提供することができる。
【００２３】
また、前記耐水性のシートの少なくとも１つの側面に、切れ目を入れて折り曲げた側壁を設けることにより、側壁によって水が横からこぼれるのを防ぐことができる手乾燥装置を提供することができる。
【００２４】
また、前記側壁の切れ目に、パッキンを設けたことにより、側壁によって更に水が横からこぼれるのを防ぐことができる手乾燥装置を提供することができる。
【００２５】
また、前記ノズルに前記耐水性のシートに水を導くガイドを設けたことにより、確実に水を水受けに導くことができる手乾燥装置を提供することができる。
【００２６】
また、前記ガイドを変性ＰＰＥシートとしたことにより、難燃性があり、成形が容易で、かつ、耐水性をもった水受けを形成することができる手乾燥装置を提供することができる。
【図面の簡単な説明】
【００２７】
【図１】本発明の実施の形態１の手乾燥装置を示す模式図
【図２】本発明の実施の形態２の手乾燥装置を示す模式図
【図３】本発明の実施の形態３の手乾燥装置を示す模式図
【図４】本発明の実施の形態４の手乾燥装置を示す模式図
【図５】本発明の実施の形態５の手乾燥装置を示す模式図
【図６】本発明の実施の形態６の手乾燥装置を示す模式図
【発明を実施するための形態】
【００２８】
本発明に係る手乾燥装置は、空気を送出する複数のノズルと、前記ノズルから高圧空気流を送出するファンモータと、前記ファンモータから吹き出される前記高圧空気流を前記ノズルに導く空間である空気室と、前記ノズルから吹き出される高圧空気流によって手を乾燥させる乾燥室と、前記乾燥室に溜まった水を排水する排水パイプと、電装部を含む充電部と、外郭を形成する本体ケーシングを備えた手乾燥装置であって、前記乾燥室と前記空気室の間に、水受けを設けたとしたものであり、ノズル周辺の隙間から水は、乾燥室と空気室の間の水受けに向かって流れるという作用を有する。
【００２９】
また、手乾燥装置は前記水受けを前記排水パイプと結合させたものとすれば、水受けに溜まった水は排水パイプに流れ込むという作用を有する。
【００３０】
また、手乾燥装置は前記水受けを、排水しやすいように前記排水パイプ側に傾けた構成としたものとすれば、水受けに溜まった水は傾斜に沿って排水パイプに流れ込むという作用を有する。
【００３１】
また、前記水受けを耐水性のシートとしたものとすれば、水受けに溜まった水は、耐水性のシート上で弾いて流れるという作用を有する。
【００３２】
また、前記耐水性のシートを、変性ＰＰＥシートとしたものとすれば、水受けを容易に形成するという作用を有する。
【００３３】
また、前記空気室と前記乾燥室との間に、前記耐水性のシートを挟んだものとすれば、乾燥室と空気室の間にフィットした水受けを配置するという作用を有する。
【００３４】
また、前記耐水性のシートの少なくとも１つの側面に、切れ目を入れて折り曲げた側壁を設けたものとすれば、耐水性のシートの少なくとも１つの側面に、切れ目を入れて折り曲げて側壁形成するという作用を有する。
【００３５】
また、前記側壁の切れ目にパッキンを貼り付けたものとすれば、側壁の切れ目がパッキンでシールされるという作用を有する。
【００３６】
また、前記ノズルに前記耐水性のシートに水を導くガイドを設けたものとすれば、ノズル周辺から入ってきた水が、ガイドに当たって流れるという作用を有する。
【００３７】
また、前記ガイドを変性ＰＰＥシートとしたとしたものとすれば、ガイドを容易に形成するという作用を有する。
【００３８】
以下、本発明の実施の形態について、図面を参照しながら説明する。
【００３９】
（実施の形態１）
図１に示すように、空気を送出する複数のノズル１と、前記ノズル１から高圧空気流を送出するファンモータ２と、前記ファンモータ２から吹き出される前記高圧空気流を前記ノズル１に導く空間である空気室３と、前記ノズル１から吹き出される高圧空気流によって手を乾燥させる乾燥室４と、前記乾燥室４に溜まった水を排水する排水パイプ５と、電装部を含む充電部６と、外郭を形成する本体ケーシング７とを備えた手乾燥装置であって、前記乾燥室４と前記空気室３の間に、水受け８を設けた構成とする。
【００４０】
上記構成によって、隙間が発生しやすいノズル１周辺構造より、手乾燥で飛び散った水や手に付着していた水の滴り等で浸入した水は、乾燥室４と空気室３の間の水受け８に向かって流れる。
【００４１】
このように本発明の実施の形態１の手乾燥装置によれば、ノズル１周辺の隙間から水が内部へ浸入しても、充電部６等に水がかからず安全を確保できる。
【００４２】
（実施の形態２）
実施の形態１と同じ構成には同じ符号を付し、説明は省略する。
【００４３】
図２に示すように、上記実施の形態１に対して前記水受け８を前記排水パイプ５と結合させた構成とする。
【００４４】
上記構成により、水受け８に溜まった水は直接排水パイプ５に流れ込む。
【００４５】
このように本発明の実施の形態２の手乾燥装置によれば、大量の水がノズル１周辺の隙間から浸入しても、溢れたりすることで充電部６等に水がかからなく、安全を確保できる。
【００４６】
また、前記水受け８を排水しやすいように前記排水パイプ５側に傾けた構成とすることによって、水受け８に溜まった水は傾斜に沿って排水パイプ５に流れ込むため、水受け８に水を溜めることなく排水することができる。
【００４７】
（実施の形態３）
実施の形態１、２と同じ構成には同じ符号を付し、説明は省略する。
【００４８】
図３に示すように、上記実施の形態２に対して、前記水受け８を耐水性シート９にした構成とする。
【００４９】
上記構成により、水受け８に溜まった水は、耐水性シート９上で弾かれるため、傾きをつけたときに流れやすい。
【００５０】
このように本発明の実施の形態３の手乾燥装置によれば、水受けに溜まった水を、更に溜まることなく排水することができる。
【００５１】
また、前記耐水性シート９を、変性ＰＰＥシート１０とした構成により、難燃性、成形性が良好で、且つ、耐水性をもった水受けを形成することができる。
【００５２】
（実施の形態４）
実施の形態１〜３と同じ構成には同じ符号を付し、説明は省略する。
【００５３】
図４に示すように、実施の形態３に対して、前記空気室３と前記乾燥室４との間に、前記耐水性シート９を挟んだ構成とする。
【００５４】
上記構成により、乾燥室４と空気室３の構造が複雑な場合でも、隙間無く両間にフィットした水受けが配置される。
【００５５】
このように本発明の実施の形態４の手乾燥装置によれば、フィットした水受けで侵入する水を広範囲で防ぐことができる。
【００５６】
（実施の形態５）
実施の形態１〜４と同じ構成には同じ符号を付し、説明は省略する。
【００５７】
図５に示すように、実施の形態４に対して、前記耐水性シートの少なくとも１つの側面に、切れ目を入れて折り曲げた側壁１１を設ける構成とする。
【００５８】
上記構成により、耐水性シート９の少なくとも１つの側面に、切れ目を入れて折り曲げて耐水性シート９の側面から水がこぼれないように側壁１１を形成する。
【００５９】
このように本発明の実施の形態５の手乾燥装置によれば、側壁１１によって溜まった水が横からこぼれるのを防ぐことができる。
【００６０】
また、前記側壁１１の切れ目にパッキン１２を設けた構成により、側壁１１の切れ目がパッキン１２でシールされ、側壁１１が更に水が横からこぼれるのを防ぐことができる。
【００６１】
（実施の形態６）
実施の形態１〜５と同じ構成には同じ符号を付し、説明は省略する。
【００６２】
図６に示すように、実施の形態２〜５に対して、前記ノズル１に前記耐水性シート９に水を導くガイド１３を設けた構成とする。
【００６３】
上記構成により、ノズル１周辺から入ってきた水は、ガイド１３に伝って流れるため意図する方向へ誘導される。
【００６４】
このように本発明の実施の形態６の手乾燥装置によれば、確実に水を水受けに導くことができる。
【００６５】
また、前記ガイド１３を変性ＰＰＥシート１０とした構成により、ガイド１３を容易に形成することができ、難燃性があり、且つ、耐水性をもった水受けを形成することができる。
【産業上の利用可能性】
【００６６】
本発明に係る手乾燥装置は、水が浸入しやすいノズル周辺からの水浸入に対して、単純な構造で対策ができ、且つ確実に阻止できるため、多くの人が使用し、安全の確保が必要
な場所で使用される乾燥装置としてより有用である。
【符号の説明】
【００６７】
１    ノズル
２    ファンモータ
３    空気室
４    乾燥室
５    排水パイプ
６    充電部
７    本体ケーシング
８    水受け
９    耐水性シート
１０  変性ＰＰＥシート
１１  側壁
１２  パッキン
１３  ガイド
【図１】
0005585016.tif 000002
【図２】
0005585016.tif 000003
【図３】
0005585016.tif 000004
【図４】
0005585016.tif 000005
【図５】
0005585016.tif 000006
【図６】
0005585016.tif 000007